(57)【要約】【課題】管路の敷設現場で切り管した場合などにおいて、管どうしの継手部に容易に離脱防止機能を付与できるようにする。【解決手段】互いに接合される一方の管１１の端部に形成された受口１３の内部に、他方の管１２の端部に形成された挿口３１を挿入するようにした管継手である。受口１３の内周に形成された収容溝１５に屈曲防止リング２１を収容し、この屈曲防止リング２１を、受口１３の外周からこの受口１３の内部へねじ込まれるセットボルト２２により挿口３１の外面へ押圧する。屈曲リング２１に、挿口３１の外周に形成された環状溝３３にはまり込み可能な内周突起３４が形成されている。【選択図】      図１
2004316727.tif 000002
【特許請求の範囲】
【請求項１】
互いに接合される一方の管の端部に形成された受口の内部に、他方の管の端部に形成された挿口を挿入するようにした管継手において、受口の内周に形成された収容溝に屈曲防止リングを収容し、この屈曲防止リングを、受口の外周からこの受口の内部へねじ込まれるセットボルトにより挿口の外面へ押圧するように構成し、前記屈曲リングに、挿口の外周に形成された環状溝にはまり込み可能な内周突起を形成したことを特徴とする離脱防止管継手。
【請求項２】
互いに接合される一方の管の端部に形成された受口の内部に、他方の管の端部に形成された挿口を挿入するようにした管継手において、受口の内周に形成された収容溝に屈曲防止リングを収容し、この屈曲防止リングを、受口の外周からこの受口の内部へねじ込まれるセットボルトにより挿口の外面へ押圧されるように構成し、挿口の外周に形成された環状溝にはまり込む内周突起を有して挿口に外ばめされることで、受口奥側から前記ロックリングに当たることが可能な挿口リングを設けたことを特徴とする離脱防止管継手。
【発明の詳細な説明】
【０００１】
【発明の属する技術分野】
本発明は離脱防止管継手に関する。
【０００２】
【従来の技術】
管路を敷設する場合には、その敷設現場において鋳鉄製の管を所定長さに切断しなければならない場合が多い。このような場合において、管路の敷設現場にて管の切断を行う必要が生じるのは、異形管の周辺であることが大多数である。なぜなら、管路における曲管やＴ字管などの異形管は、その埋設位置を道路に合わせたり、他の埋設物を回避したり、他の管路と接続したりするために設けられることが多いので、必ずしも当初設計された位置通りに敷設されるものではない。そのため、異形管の埋設位置が現場で確認されてから、この異形管に接続される直管やその近傍の直管を適宜に切断することで、管路の寸法合わせが行われるためである。
【０００３】
しかしながら、たとえば上水道を構成する管路においては、異形管およびその近傍で管路に不平均力が作用するため、何ら対策を施さないと、互いに接合されている管どうしの離脱が発生する。このため、異形管およびその近傍では、管どうしの継手部は離脱防止機能を備えたものとされているのが通例である。
【０００４】
図３は、このような離脱防止機能を備えた異形管の管継手の一例を示す。ここで、１１、１２は互いに接合される一対のダクタイル鋳鉄製の管であり、一方の管１１の端部には受口１３が形成され、他方の管１２の端部には、受口１３に挿入される挿口１４が形成されている。ここでは、受口１３を有した管１１が、たとえば、曲管やＴ字管などの異形管であるとする。
【０００５】
受口１３の内周には、その開口端側から順に、屈曲防止リング収容溝１５と、シール材収容溝１６と、ロックリング収容溝１７とが、この順に形成されている。ロックリング収容溝１７から受口１３の奥側に向けて管軸心方向に距離をおいた位置には、奥端面１８が形成されている。
【０００６】
屈曲防止リング収容溝１５には、横断面矩形状の金属製の屈曲防止リング２１が収容されている。この屈曲防止リング２１は、周方向に沿って複数に分割されるとともに、その分割部にゴム片が圧入されることで環状に保持されている。２２はセットボルトで、受口１３の周方向に沿って複数が設けられ、受口１３の外周からこの受口１３を貫通して収容溝１５へねじ込まれることで、屈曲防止リング２１を挿口１４の外周面に押圧できるように構成されている。
【０００７】
シール材収容溝１６には、環状のゴム製のシール材２３が収容されている。ロックリング収容溝１７には、金属製の周方向一つ割りのロックリング２４が収容されている。このロックリング２４は、弾性力によって挿口１４の外周に抱き付くことが可能とされている。ロックリング２４の外周と収容溝１７の溝底部との間には、受口１３の内部に挿口１４が挿入される前においてロックリング２４を受口１３に対して同心状に保持するための弾性体２５が設けられている。
【０００８】
挿口１４の先端の外周には、受口１３の奥側からロックリング２４に当たることができる挿口突部２６が形成されている。
このような構成において、管１１、１２どうしを接合する際には、まず、受口１３のロックリング収容溝１７にロックリング２４と弾性体２５とを収容し、シール材収容溝１６にシール材２３を収容する。また、周方向に沿って複数に分割された屈曲防止リング２１の各分割片を収容溝１５に収容し、その分割部にゴム片を圧入することで、この屈曲防止リング２１を環状に保持させる。この状態で、屈曲防止リング２１の内径は挿口突部２６の外径よりも大きくなっている。
【０００９】
次に、この状態の受口１３の内部に挿口１４を挿入する。すると、挿口突部２６は、屈曲防止リング２１の内周を通過するとともに、シール材２３を押し広げながらこのシール材２３の内周を通過し、またロックリング２４を押し広げながらこのロックリング２４の内周を通過する。これにより、挿口突部２４がロックリング２４と受口１３の奥端面１８との間に位置することになる。そこで、セットボルト２２を受口１３の管壁を貫通させて収容溝１５へねじ込むことで、このセットボルト２２により屈曲防止リング２１を挿口１４の外周に押圧させる。
【００１０】
図３は、このときの状態を示す。以上によって、受口１３と挿口１４との間がシール材２３によってシールされ、挿口突部２６がロックリング２４と受口１３の奥端面１８とに当たるまでの範囲で受口１３と挿口１４とが伸縮し、また挿口突部２６がロックリング２４に当たることで受口挿口間の離脱が防止される。
【００１１】
さらに、横断面矩形状の屈曲防止リング２１がセットボルト２２により全周にわたって挿口１４の外面に押圧され、これにより管径方向に沿った受口１３と挿口１４との相対的な変位が防止されるため、受口１３と挿口１４との屈曲が確実に防止される。すなわち、前述のように管路における異形管およびその近傍では不平均力が作用するため、何ら対策を施さないと受口挿口間に過大な屈曲が生じて不都合な状態になる可能性があるが、屈曲防止リング２１を設けることによって、そのような事態の発生を確実に防止することができる。
【００１２】
一方、管路を構成する管であって離脱防止機能を有するものの端部に上述のように受口が形成されている場合において、この管に所定長さに切断した切り管を接合するときには、この切り管の端部を挿口として、前記受口の内部に挿入し、管継手を構成することになる。このときに、離脱防止のための構成として、たとえば図３に示したもののように受口１３の内周に環状のロックリング収容溝１７が形成されるとともに、その収容溝１７にロックリング２４が収容されている場合には、切り管により構成される挿口の先端の外周に同様に環状突部を形成して、受口１３に挿口が挿入されたときに、この環状突部が受口１３の奥側からロックリングに当たるようにすることで、所要の離脱防止機能を発揮させることができる。
【００１３】
このように切り管により構成された挿口の外周に環状突部を形成する手法として、たとえば特許文献１には、切り管により形成された挿口に環状の溶接ピースを外ばめし、この溶接ピースを挿口に溶接により固定するようにしたものが記載されている。
【００１４】
【特許文献１】
特開２０００−２５７７５８号公報
【００１５】
【発明が解決しようとする課題】
しかしながら、このように管路の敷設現場での溶接作業は容易でなく、したがってその作業に困難を伴うという課題がある。
【００１６】
そこで本発明は、このような課題を解決して、管路の敷設現場で切り管した場合などにおいて管どうしの継手部に容易に離脱防止機能を付与できるようにすることを目的とする。
【００１７】
【課題を解決するための手段】
この目的を達成するため本発明は、受口の内周に形成された収容溝に屈曲防止リングを収容し、この屈曲防止リングを、受口の外周からこの受口の内部へねじ込まれるセットボルトにより挿口の外面へ押圧するように構成し、前記屈曲リングに、挿口の外周に形成された環状溝にはまり込み可能な内周突起を形成したものである。
【００１８】
このような構成であると、屈曲防止リングに内周突起を形成して、この内周突起を挿口の外周に形成された環状溝にはまり込ませるだけで、管路の敷設現場で切り管を行った場合などにおいても、管どうしの継手に容易に離脱防止機能を付与することができる。
【００１９】
また本発明は、受口の内周に形成された収容溝に屈曲防止リングを収容し、この屈曲防止リングを、受口の外周からこの受口の内部へねじ込まれるセットボルトにより挿口の外面へ押圧されるように構成し、挿口の外周に形成された環状溝にはまり込む内周突起を有して挿口に外ばめされることで、受口奥側から前記ロックリングに当たることが可能な挿口リングを設けたものである。
【００２０】
このような構成であると、挿口の外周に環状溝を形成し、その環状溝に挿口リングの内周突起をはめ込んだ状態で、この挿口リングを挿口に外ばめするだけで、この挿口リングが受口奥側から収容溝内の屈曲防止リングに当たることが可能であることにより、管路の敷設現場で切り管を行った場合などにおいても、管どうしの継手に容易に離脱防止機能を付与することができる。
【００２１】
【発明の実施の形態】
以下、本発明の実施の形態の離脱防止管継手を、図１および図２を参照し、図３に示されたものと同一の部材には同一の参照番号を付して、詳細に説明する。
【００２２】
図１は、本発明の第１の実施の形態の離脱防止管継手を示す。ここで、管１２には切り管が施されており、３１はその切り管によって形成された挿口である。この挿口３１は、収容溝１７にロックリングが収容されていない状態の受口１３の内部に挿入されるが、この挿口３１の先端の外周には、この挿口３１を受口１３の内部に挿入するときにシール材２３を押し広げるための案内となるテーパ面３２が、機械加工により形成されている。
【００２３】
図示のように挿口３１が受口１３の内部の所定位置まで挿入されたときにおける屈曲防止リング２１に対応した位置の挿口１４の外周には、横断面矩形状の環状溝３３が形成されている。また屈曲防止リング２１の内周には、環状溝３３にはまり込む環状の横断面矩形状の内周突起３４が一体に形成されている。
【００２４】
このような構成において、管１１の受口１３の内部に切り管により形成された挿口３１を挿入して管１１、１２どうしを接合する際には、既存の受口１３に対し、ロックリングは収容せず、また屈曲防止リング２１を図示のように内周突起３４を有するものに交換する。シール材２３は、元のものをそのまま使用する。切り管による新たな挿口３１には、テーパ面３２と環状溝３３とを機械加工する。
【００２５】
そして、シール材２３と内周突起３４付きの屈曲防止リング２１とを収容した受口１３の内部に挿口３１を挿入する。すると、挿口３１は、屈曲防止リング２１の内周に挿入されるとともに、テーパ面３２によってシール材２３をわずかに押し広げながらこのシール材２３の内周に挿入される。これにより、挿口３１の先端が受口１３の内部の所定位置まで挿入され、環状溝３３が屈曲防止リング２１の内周突起３４に向かい合って位置することになる。
【００２６】
そこで、次にセットボルト２２を操作し、このセットボルト２２によって屈曲防止リング２１を縮径させる。すると、屈曲防止リング２１は、その内周が挿口３１の外周に押圧されるとともに、その内周突起３４が環状溝３３にはめ込まれる。図１は、このときの状態を示す。
【００２７】
その結果、受口１３の内周面と挿口３１の外周面との間でシール材２３が圧縮されることで、受口挿口間のシールが行われる。また、屈曲防止リング２１がセットボルト２２によって挿口３１の外周に押圧されることで、受口挿口間の屈曲が防止される。
【００２８】
さらに、このようにセットボルト２２によって挿口３１に押圧されている屈曲防止リング２１の内周突起３４が挿口３１の環状溝３３にはまり込んでいることにより、この内周突起３４と挿口３１との間に確実な引っ掛かりが生じて、受口１３からの挿口３１の離脱が防止される。内周突起３４は、受口挿口間に抜け出し力が作用したときに管軸心方向の剪断力を受けるが、図示のように屈曲防止リング２１の軸心方向に沿った中央部に形成されている場合は、たとえばこの屈曲防止リング２１における受口開口側の開口端の内周に形成されている場合に比べて、管軸心方向の幅をあまり大きくとらなくても、屈曲防止リング２１の管軸心方向の幅よりもはるかに小さい幅寸法のもので、所要の抜け出し力すなわち剪断力に耐えることができる。たとえば、一般の水道管路用の管継手においては、環状溝３３および内周突起３４の幅は３ｍｍ程度で足りる。またこの場合は、両者の引っ掛かり高さであるところの、環状溝３３の深さすなわち内周突起３４の高さは、一般の水道管路用の管継手においては、２ｍｍ程度で十分である。よって、環状溝３３は、その横断面の形状が小さいものであるために、管路の敷設現場などにおいても、たとえば手持ち式の電動グラインダーなどを用いて容易に加工することができる。
【００２９】
以上のようにして、屈曲防止リング２１に内周突起３４を形成して、この内周突起３４を挿口３１の外周に形成された環状溝３３にはまり込ませるだけで、管路の敷設現場で切り管を行った場合などにおいても、管どうしの継手に容易に離脱防止機能を付与することができる。
【００３０】
図２は、本発明の第２の実施の形態の離脱防止管継手を示す。ここでは、屈曲防止リング収容溝１５とシール材収容溝１６との間に、これら収容溝１５、１６を形成したことにもとづく結果としての、内周突部３５が形成されている。また、挿口３１が受口１３内の所定位置まで挿入されたときにシール材２３と屈曲防止リング２１との間に位置することになるこの挿口３１の部分の外周には、すなわち、このときに受口１３の内周突部３５に向かい合う部分の挿口３１の外周には、横断面矩形状の環状溝３６が形成されている。そして挿口３１の外周には、環状溝３６にはまり込む環状の内周突起３７を有した横断面Ｔ字形の周方向一つ割りの金属製の挿口リング３８が外ばめされている。このとき、挿口リング３８は弾性的な縮径力を有した状態で挿口３１に外ばめされ、これにより、内周突起３７が環状溝３６にはまり込み、かつ受口１３の内周突部３５に向かい合った状態で、挿口３１の外周に装着されている。
【００３１】
このような構成において、管１１の受口１３の内部に切り管により形成された挿口３１を挿入して管１１、１２どうしを接合する際には、既存の受口１３に対し、ロックリングは収容せず、また屈曲防止リング２１とシール材２３は元のものをそのまま使用する。切り管による新たな挿口３１には、テーパ面３２と環状溝３６とを機械加工し、また内周突起３７を環状溝３６にはめ込んだ状態で挿口リング３８を挿口３１に外ばめさせておく。
【００３２】
そして、シール材２３と屈曲防止リング２１とを収容した受口１３の内部に挿口３１を挿入する。すると、挿口３１は、屈曲防止リング２１の内周を通過するとともに、テーパ面３２によってシール材２３をわずかに押し広げながらこのシール材２３の内周を通過する。これにより、挿口３１の先端が受口１３の内部の所定位置まで挿入され、かつ挿口リング３８が屈曲防止リング２１の内周を通過したうえで受口の内周突部３５に向かい合って位置することになる。
【００３３】
そこで、次にセットボルト２２を操作し、このセットボルト２２によって屈曲防止リング２１を縮径させ、この屈曲防止リング２１の内周を挿口３１の外周に押圧させる。図２は、このときの状態を示す。
【００３４】
これにより、受口１３の収容溝１５に収容された屈曲防止リング２１に、内周突起３７が挿口３１の環状溝３６にはまり込んだ挿口リング３８が、受口１３の奥側から当たることが可能となり、これによって受口１３と挿口３１との間に所要の離脱防止機能が付与されることになる。なお、挿口リング３８が横断面Ｔ字形であってその軸心方向に沿った中央部に内周突起３７が形成されている場合は、環状溝３６および内周突起３７の寸法は、第１の実施の形態の場合と同様とすることができ、したがってこの環状溝３６を管路の敷設現場などにおいて容易に加工することができる。
【００３５】
また、挿口リング３８は受口１３の内周突部３５の内側に位置しており、この内周突部３５によって一定以上の拡径が防止されている。このため、挿口リング３８は、内周突起３７が環状溝３６にはまり込んだ状態で単に挿口３１に外ばめされているだけで足り、特に拡径を防止するために挿口３１に固定されていなくても、内周突起３７が環状溝３６から外れ出すような事態の発生が防止される。もちろん、念のために挿口リング３８を何らかの手段によって挿口３１に確実に固定しておくこともできる。
【００３６】
以上のようにして、挿口３１の外周に小さな環状溝３６を形成し、この環状溝３６に挿口リング３８の内周突起３７をはめ込んだ状態で、この挿口リング３８を挿口３１に外ばめするだけで、この挿口リング３８が受口１３の奥側から収容溝１５内の屈曲防止リング２１に当たることが可能であることにより、管路の敷設現場で切り管を行った場合などにおいても、管どうしの継手に容易に離脱防止機能を付与することができる。
【００３７】
【発明の効果】
以上のように本発明によると、受口の内周に形成された収容溝に屈曲防止リングを収容し、この屈曲防止リングを、受口の外周からこの受口の内部へねじ込まれるセットボルトにより挿口の外面へ押圧するように構成し、前記屈曲リングに、挿口の外周に形成された環状溝にはまり込み可能な内周突起を形成したため、屈曲防止リングに内周突起を形成して、この内周突起を挿口の外周に形成された環状溝にはまり込ませるだけで、管路の敷設現場で切り管を行った場合などにおいても、管どうしの継手に容易に離脱防止機能を付与することができる。
【００３８】
また本発明によると、受口の内周に形成された収容溝に屈曲防止リングを収容し、この屈曲防止リングを、受口の外周からこの受口の内部へねじ込まれるセットボルトにより挿口の外面へ押圧されるように構成し、挿口の外周に形成された環状溝にはまり込む内周突起を有して挿口に外ばめされることで、受口奥側から前記ロックリングに当たることが可能な挿口リングを設けたため、挿口の外周に環状溝を形成し、その環状溝に挿口リングの内周突起をはめ込んだ状態で、この挿口リングを挿口に外ばめするだけで、この挿口リングが受口奥側から収容溝内の屈曲防止リングに当たることが可能であることにより、管路の敷設現場で切り管を行った場合などにおいても、管どうしの継手に容易に離脱防止機能を付与することができる。
【図面の簡単な説明】
【図１】本発明の実施の形態１の離脱防止管継手の要部の断面図である。
【図２】本発明の実施の形態２の離脱防止管継手の要部の断面図である。
【図３】従来の離脱防止管継手の要部の断面図である。
【符号の説明】
１１    管
１２    管
１３    受口
１５    屈曲防止リング収容溝
２１    屈曲防止リング
２２    セットボルト
３１    挿口
３３    環状溝
３４    内周突起
３６    環状溝
３７    内周突起
３８    挿口リング
【図１】
2004316727.tif 000003
【図２】
2004316727.tif 000004
【図３】
2004316727.tif 000005